(57)【要約】      （修正有）【課題】折り畳み可能な容器及び清掃用具組立体を提供する。【解決手段】折り畳み可能な容器は、環状に配置された折り畳み可能な側壁を含み、前記折り畳み可能な側壁が隣り合って設けられた連結部を含み、隣り合う２個の連結部の間が可撓部３３でつながる。連結部は、３個あり、それぞれ第１連結部３１ａ、第２連結部３２及び第３連結部３１ｂである。第１連結部３１ａ、第２連結部３２及び第３連結部３１ｂは、頂部２から底部１までの方向において順次配列され、第２連結部３２の両端が第１連結部３１ａ、第３連結部３１ｂと各々可撓部３３でつながる。折り畳んで閉じた時、第１連結部３１ａと第２連結部３２との間の折り畳み方向は、第１連結部３１ａと第３連結部３１ｂとの間の折り畳み方向と反対の方向である。清掃用具組立体は、清掃用具と、折り畳み可能な容器と、を含む。【選択図】図５
0003228833.tif 000002
【実用新案登録請求の範囲】
【請求項１】
環状に配置された折り畳み可能な側壁（３）を含む折り畳み可能な容器であって、前記折り畳み可能な側壁（３）は、隣り合って設けられた２個の連結部を含み、隣り合う２個の前記連結部の間が可撓部（３３）でつながり；前記折り畳み可能な容器の展開過程で、前記連結部が前記可撓部（３３）上の折り目部（３３ｃ）を中心に回転し、前記折り目部（３３ｃ）の両側に各々第１突き当て部（３３ａ）及び第２突き当て部（３３ｂ）が設けられ、前記第１突き当て部（３３ａ）及び前記第２突き当て部（３３ｂ）が各々前記可撓部（３３）又は前記連結部に配置され；前記折り畳み可能な容器が展開状態にある時、前記第１突き当て部（３３ａ）と前記第２突き当て部（３３ｂ）は、互いに当接することを特徴とする、折り畳み可能な容器。
【請求項２】
前記可撓部（３３）に凹面を形成しており、前記折り目部（３３ｃ）は、前記凹面に位置し、前記第１突き当て部（３３ａ）及び前記第２突き当て部（３３ｂ）が前記可撓部（３３）の前記凹面側に設けられ、かつ前記第１突き当て部（３３ａ）及び前記第２突き当て部（３３ｂ）が各々前記凹面の両端に位置することを特徴とする、請求項１に記載の折り畳み可能な容器。
【請求項３】
前記第１突き当て部（３３ａ）及び／又は前記第２突き当て部（３３ｂ）は、前記連結部から成る突起であることを特徴とする、請求項１に記載の折り畳み可能な容器。
【請求項４】
剛性底部（１）と、剛性頂部（２）と、をさらに含み、前記底部（１）と前記頂部（２）は、前記側壁（３）を介して互いに連結されることを特徴とする、請求項１〜３のいずれか一項に記載の折り畳み可能な容器。
【請求項５】
前記連結部は、３個あり、それぞれ第１連結部（３１ａ）、第２連結部（３２）及び第３連結部（３１ｂ）であり、前記第２連結部（３２）の両端が前記第１連結部（３１ａ）、前記第３連結部（３１ｂ）と各々前記可撓部（３３）でつながり；折り畳んで閉じた時、前記第１連結部（３１ａ）と前記第２連結部（３２）との間の折り畳み方向は、前記第１連結部（３１ａ）と前記第３連結部（３１ｂ）との間の折り畳み方向と反対の方向であることを特徴とする、請求項１に記載の折り畳み可能な容器。
【請求項６】
前記連結部の数は、３個以上の単数であることを特徴とする、請求項４に記載の折り畳み可能な容器。
【請求項７】
前記底部（１）及び前記頂部（２）は、硬質ゴムで作られ、前記側壁（３）が軟質ゴムで作られることを特徴とする、請求項４に記載の折り畳み可能な容器。
【請求項８】
前記側壁（３）と前記底部（１）との間を熱融着又は接着され、前記側壁（３）と前記頂部（２）との間を熱融着又は接着されることを特徴とする、請求項７に記載の折り畳み可能な容器。
【請求項９】
清掃用具と、請求項１〜８に記載の折り畳み可能な容器と、を含み、折り畳み状態にある前記折り畳み可能な容器に収容されることを特徴とする、清掃用具組立体。
【考案の詳細な説明】
【技術分野】
【０００１】
本考案は、家庭用収納容器分野に属し、特に、折り畳み可能な容器及び清掃用具組立体に関する。
【背景技術】
【０００２】
持ち運びの利便性、収納スペース節約等の目的のため、ランドリーバスケット、ゴミ箱、洗面器等の一部が一般的に使用されている家庭用収納容器は、折り畳み式設計となっている。構造の簡略化と材料の改善により、これらの折り畳み式設計の折り畳み部分は、往々にして軟質ゴム等の柔軟な素材で直接曲げ伸ばしが形成され、柔軟な素材が伸ばし状態及び折り畳みの状態において、安定した自己支持状態となる。例えば特許文献１の伸縮可能な車載ゴミ箱、特許文献２の洗面器（折り畳み式洗面器）等である。
【０００３】
このような設計の最も弱い部位は、折り目があるため、側壁の強度性能に影響を及ぼしていた。従来の設計では、この問題点が技術的に改善されていない。
【先行技術文献】
【特許文献】
【０００４】
【特許文献１】中国特許第ＣＮ２０３３１９０６９Ｕ号
【特許文献２】中国特許第ＣＮ３０４４６２４８３Ｓ号
【考案の概要】
【考案が解決しようとする課題】
【０００５】
本考案は、従来技術における上述の問題点の克服を意図しており、広げて使用している状態にある時、容器の側壁の強度性能に優れた折り畳み可能な容器を提供することを目的とする。
【課題を解決するための手段】
【０００６】
本考案は、上記課題を解決するために、次の技術的手段を講じた。
環状に配置された折り畳み可能な側壁を含む折り畳み可能な容器であって、前記折り畳み可能な側壁は、隣り合って設けられた２個の連結部を含み、隣り合う２個の連結部の間が可撓部でつながり；折り畳み可能な容器の展開過程で、連結部が可撓部上の折り目部を中心に回転し、折り目部の両側に各々第１突き当て部及び第２突き当て部が設けられ、第１突き当て部及び第２突き当て部が各々可撓部又は連結部に配置され；折り畳み可能な容器が展開状態にある時、前記第１突き当て部と第２突き当て部は互いに当接する。
【０００７】
さらに、前記可撓部に凹面を形成しており、前記折り目部は凹面に位置し、前記第１突き当て部及び第２突き当て部が可撓部の凹面側に設けられ、かつ前記第１突き当て部及び第２突き当て部が各々凹面の両端に位置する。
【０００８】
さらに、前記第１突き当て部及び／又は第２突き当て部は、前記連結部から成る突起である。
【０００９】
さらに、剛性底部と、剛性頂部と、も含み、前記底部と頂部は側壁を介して互いに連結される。
【００１０】
さらに、前記連結部は、３個あり、それぞれ第１連結部、第２連結部及び第３連結部であり、第２連結部の両端が前記第１連結部、前記第３連結部と各々可撓部でつながり；折り畳んで閉じた時、前記第１連結部と第２連結部との間の折り畳み方向は、第１連結部と第３連結部との間の折り畳み方向と反対の方向である。
【００１１】
さらに、前記連結部の数は、３個以上の単数である。
【００１２】
さらに、前記底部及び前記頂部は、硬質ゴムで作られ、前記側壁が軟質ゴムで作られる。
【００１３】
さらに、前記側壁と前記底部との間を熱融着又は接着され、前記側壁と前記頂部との間を熱融着又は接着される。
【００１４】
本考案は、清掃用具と、前記折り畳み可能な容器と、を含む清掃用具組立体をさらに提供する。前記清掃用具は、折り畳み状態にある折り畳み可能な容器に収容される。したがって、清掃用具と折り畳み可能な容器を組立体として輸送することによって、清掃用具及び折り畳み可能な容器を別々に輸送する場合に比べて、その体積が減少し、輸送コストを効果的に削減することができる。
【考案の効果】
【００１５】
本考案によって提供される折り畳み可能な容器は、広げて使用している状態にある時、第１突き当て部と第２突き当て部との当接を介して、折り畳み可能な容器の最も弱い部位である折り目の強度を高め、側壁の強度性能を向上する。
【００１６】
以下、添付図面を参照しつつ本考案の具体的実施形態をさらに詳細に説明する。
【図面の簡単な説明】
【００１７】
【図１】本考案の折り畳み可能な容器が完全に展開されている状態の断面図である。
【図２】本考案の折り畳み可能な容器が完全に折り畳まれた状態の断面図である。
【図３】図１内の部位Ａの拡大図である。
【図４】図３内の部位Ｍの拡大図である。
【図５】図２内の部位Ｂの拡大図である。
【図６】図５内の部位Ｎの拡大図である。
【考案を実施するための形態】
【００１８】
以下、本考案の目的、技術的手段及び利点をより明確にするため、添付図面及び実施例を参照しつつ本考案をさらに詳細に説明する。ここで描写される具体的実施例は、あくまでも本考案の技術内容を明らかにするものであって、本考案を限定するために使用されないことを理解されたい。
【００１９】
本考案の折り畳み可能な容器は、ゴミ箱、ランドリーバスケット、洗面器、収納ボックス、歯磨きコップ等の一般的に使用されている様々な家庭用収納容器である。
【００２０】
図１乃至図６を参照すると、本考案の折り畳み可能な容器は、環状に配置された折り畳み可能な側壁３を含む折り畳み可能な容器であって、折り畳み可能な側壁３は、隣り合って設けられた２個の連結部を含み、隣り合う２個の連結部の間が可撓部３３でつながり；折り畳み可能な容器の展開過程で、連結部が可撓部３３上の折り目部３３ｃを中心に回転し、折り目部３３ｃの両側に各々第１突き当て部３３ａ及び第２突き当て部３３ｂが設けられ、第１突き当て部３３ａ及び第２突き当て部３３ｂが各々可撓部３３又は連結部に配置され；折り畳み可能な容器が展開状態にある時、第１突き当て部３３ａと第２突き当て部３３ｂは互いに当接する。隣り合う連結部は、完全に折り畳まれた状態と完全に伸ばされた状態にある時、安定した状態となる。隣り合う連結部が完全に折り畳まれた状態にある時、折り畳み可能な容器は最も少ないスペースを占め、輸送及び保管に便利であり；隣り合う連結部が完全に伸ばされた状態にある時、折り畳み可能な容器は実用状態になる。折り畳み可能な容器が展開状態にある時、第１突き当て部３３ａと第２突き当て部３３ｂが互いに当接支持し、したがって隣り合う連結部の間の連結強度を補強して側壁３の強度性能を向上する。
【００２１】
本実施例において、可撓部３３に凹面を形成しており、折り目部３３ｃは凹面に位置し、第１突き当て部３３ａ及び第２突き当て部３３ｂが可撓部３３の凹面側に設けられ、かつ第１突き当て部３３ａ及び第２突き当て部３３ｂが各々凹面の両端に位置する。凹面の設置により、折り畳まれた状態において、凹面箇所の容器壁が自然状態となることで、従来技術のように引き伸ばされた状態となって側壁３の枢結部位における寿命に影響を及ぼすことはなく；展開状態において、基部の容器壁は従来技術のように圧迫された状態となることはない。好ましくは、本実施例において、折り目部３３ｃは、凹面の基部であり、第１突き当て部３３ａ及び第２突き当て部３３ｂが対称的に配置される。隣り合う連結部の間を完全に伸ばされたな状態に回転させると、凹面の基部が折り畳まれ、凹面の対称端部が当接する。凹面が半折り状態となり、隣り合う連結部の間の連結箇所の壁厚が均一であるため、折り畳み可能な容器の展開状態の安定性を向上させる。
【００２２】
第１突き当て部３３ａ及び第２突き当て部３３ｂの別の実施形態として、第１突き当て部３３ａ及び／又は第２突き当て部３３ｂは、連結部から成る突起である。
【００２３】
本考案の折り畳み可能な容器は、剛性底部１と剛性頂部２と、をさらに含む。底部１と頂部２は、側壁３を通じて連結される。剛性底部１は、折り畳み可能な容器の耐荷重能力を向上させ；剛性頂部２は、使用者による折り畳み可能な容器の持ち運びや移動を容易にする。
【００２４】
連結部の数は、２個以上にあることができる。連結部の数を増やすことにより、折り畳み可能な容器の輸送時の収納空間を増やすことがなく、折り畳み可能な容器の収容体積を増すことができる。好ましくは、連結部の数が３個以上の単数である。連結部の単数の配置を通じて、頂部２の自由端は折り畳み可能な容器の折り畳み部位から離れることを保証することで、頂部２の自由端の設計スペースが拡張され、例えば折り返し、ハンドル等の追加であり、したがって折り畳み可能な容器の実際の使用に役立つ。
【００２５】
本実施例において、連結部は、３個あり、それぞれ第１連結部３１ａ、第２連結部３２及び第３連結部３１ｂである。第１連結部３１ａ、第２連結部３２及び第３連結部３１ｂは、頂部２から底部１までの方向において順次配列され、第２連結部３２の両端が第１連結部３１ａ、第３連結部３１ｂと各々可撓部３３でつながる。折り畳んで閉じた時、第１連結部３１ａと第２連結部３２との間の折り畳み方向は、第１連結部３１ａと第３連結部３１ｂとの間の折り畳み方向と反対の方向である。すなわち、第１連結部３１ａ及び第３連結部３１ｂは、各々第２連結部３２の内外両側に向けて折り畳まれる。本実施例において、折り畳み可能な容器の内部空洞の半径方向寸法は、底部１から頂部２へと徐々に大きくなり、折り畳まれて閉じると、第１連結部３１ａが第２連結部３２に対して外向きに折り畳まれ、第３連結部３１ｂが第２連結部３２に対して内向きに折り畳まれる。折り畳んだ後、内側から外側へ、それぞれ底部１、側壁３及び頂部２になる。又は、折り畳み可能な容器の内部空洞の半径方向寸法は、底部１から頂部２へと徐々に小さくなり、折り畳まれて閉じると、折り畳み方向は第１連結部３１ａが第２連結部３２に対して内向きに折り畳まれ、第３連結部３１ｂが第２連結部３２に対して外向きに折り畳まれる。折り畳み可能な容器の折り畳み状態において外側から内側へ、それぞれ底部１、側壁３及び頂部２になる。本実施例において、前記の「内」及び「外」は、展開状態の折り畳み可能な容器の内外方向と一致する。これらの簡単な変形は、本考案の保護範囲内に含まれる。
【００２６】
好ましくは、底部１及び頂部２は、硬質ゴムで作られ、側壁３が軟質ゴムで作られる。側壁３と底部１との間を熱融着又は接着され、側壁３と頂部２との間を熱融着又は接着される。
【００２７】
本考案は、清掃用具と前記折り畳み可能な容器と、を含む清掃用具組立体をさらに提供する。清掃用具は、折り畳み状態にある折り畳み可能な容器に収容される。清掃用具は、日常生活で一般的に使用されるモップ、ほうき、掃除ブラシ、ガラスワイパーなどであり得る。したがって、清掃用具と折り畳み可能な容器を組立体として輸送することによって、清掃用具及び折り畳み可能な容器を別々に輸送する場合に比べて、その体積が減少し、輸送コストを効果的に削減することができる。
【００２８】
本明細書内で記載されている具体的実施例は、あくまでも本考案の技術内容を明らかにするものである。当業者であれば、本考案の具体的実施例に様々な修正又は補足を加え或いは類似した方式で置換することができ、かつかかる変更や修正が本考案の明細書内容から逸脱することがない場合、若しくは本願の実用新案登録請求の範囲で定義される範囲を超えない場合、本考案の保護範囲に網羅される。
【符号の説明】
【００２９】
１  底部
２  頂部
３  側壁
３１ａ  第１連結部
３１ｂ  第３連結部
３２  第２連結部
３３  可撓部
３３ａ  第１突き当て部
３３ｂ  第２突き当て部
３３ｃ  折り目部
【図１】
0003228833.tif 000003
【図２】
0003228833.tif 000004
【図３】
0003228833.tif 000005
【図４】
0003228833.tif 000006
【図５】
0003228833.tif 000007
【図６】
0003228833.tif 000008